(57)【要約】【課題】フィルタ及びそれを用いたプラズマディスプレイ装置を提供する。【解決手段】フィルタは、ベース部と、ベース部に互いに離隔するように形成されて、外光を吸収する複数のパターン部を含む外光遮断シートと、を備え、ベース部は、特定波長領域の光を吸収する染料又は顔料を含む。【選択図】図１
2009031747.tif 000002
【特許請求の範囲】
【請求項１】
プラズマディスプレイパネルと、
前記パネルの前面に位置するフィルタと、を含み、
前記フィルタは、ベース部と、前記ベース部に互いに離隔するように形成されて、外光を吸収する複数のパターン部を含む外光遮断シートと、を備え、
前記ベース部は、特定波長領域の光を吸収する染料又は顔料を含むことを特徴とするプラズマディスプレイ装置。
【請求項２】
前記ベース部は、
８００μｍ〜１１００μｍの範囲の波長を有する近赤外線を吸収する染料又は顔料を含むことを特徴とする請求項１に記載のプラズマディスプレイ装置。
【請求項３】
前記ベース部は、
ジインモニウム（ｄｉｉｍｏｎｉｕｍ）系染料、フタロシアニン（ｐｈｔｈａｌｏｃｙａｎｉｎｅ）系染料、ナフタロシアニン（ｎａｐｈｔｈａｌｏｃｙａｎｉｎｅ）系染料及び金属錯体（ｍｅｔａｌ−ｃｏｍｐｌｅｘ）系染料のうちの少なくとも１つを含むことを特徴とする請求項２に記載のプラズマディスプレイ装置。
【請求項４】
前記ベース部は、
５７０μｍ〜６００μｍの範囲の波長を有するネオン光を吸収する染料又は顔料を含むことを特徴とする請求項１に記載のプラズマディスプレイ装置。
【請求項５】
前記ベース部は、
アミン系染料、ポリメチン（ｐｏｌｙｍｅｔｉｎ）系染料、ポルフィリン系染料及びシアニン系化合物のうち、少なくとも１つを含むことを特徴とする請求項４に記載のプラズマディスプレイ装置。
【請求項６】
前記ベース部は、
アントラキノン（ａｎｔｈｒａｑｕｉｎｏｎｅ）系染料、フタロシアニン系染料及びチオインジゴ（ｔｈｉｏｉｎｄｉｇｏ）系染料のうち、少なくとも１つを含む色補正染料を含むことを特徴とする請求項１に記載のプラズマディスプレイ装置。
【請求項７】
前記ベース部は、
赤色（ｒｅｄ）光を吸収する染料又は顔料を含むことを特徴とする請求項１に記載のプラズマディスプレイ装置。
【請求項８】
前記ベース部は、
緑色（ｇｒｅｅｎ）光を吸収する染料又は顔料を含むことを特徴とする請求項１に記載のプラズマディスプレイ装置。
【請求項９】
前記外光遮断シートの厚さは、前記パターン部の高さの１．０１倍〜２．２５倍であることを特徴とする請求項１に記載のプラズマディスプレイ装置。
【請求項１０】
前記パターン部の屈折率は、前記ベース部の屈折率の０．３倍以上１倍未満であることを特徴とする請求項１に記載のプラズマディスプレイ装置。
【請求項１１】
前記パターン部の屈折率は、前記ベース部の屈折率より大きく、前記パターン部の屈折率と前記ベース部の屈折率との差は、０．０５〜０．３であることを特徴とする請求項１に記載のプラズマディスプレイ装置。
【請求項１２】
前記パターン部は、上端と下端のうち、幅の狭い上端が前記パネルにより隣接するように配置されることを特徴とする請求項１に記載のプラズマディスプレイ装置。
【請求項１３】
前記パネルに形成された複数の放電セルのうち、いずれか一つと重なる前記パターン部の平均個数は、３．９個〜１３．９個であることを特徴とする請求項１に記載のプラズマディスプレイ装置。
【請求項１４】
前記パネルに形成された複数の放電セルのうち、いずれか一つと重なる前記パターン部の平均個数は、６個〜１３．５個であることを特徴とする請求項１に記載のプラズマディスプレイ装置。
【請求項１５】
ディスプレイパネルの前面に位置するフィルタであって、
ベース部と、前記ベース部に互いに離隔するように形成されて、外光を吸収する複数のパターン部を含む外光遮断シートと、を備え、
前記ベース部は、特定波長領域の光を吸収する染料又は顔料を含むことを特徴とするフィルタ。
【請求項１６】
前記ベース部は、
８００μｍ〜１１００μｍの範囲の波長を有する近赤外線を吸収する染料又は顔料を含むことを特徴とする請求項１５に記載のフィルタ。
【請求項１７】
前記ベース部は、
５７０μｍ〜６００μｍの波長を有するネオン光を吸収する染料又は顔料を含むことを特徴とする請求項１５に記載のフィルタ。
【請求項１８】
前記ベース部は、
アントラキノン系染料、フタロシアニン系染料及びチオインジゴ系染料のうち、少なくとも１つを含む色補正染料を含むことを特徴とする請求項１５に記載のフィルタ。
【請求項１９】
前記外光遮断シートの厚さは、前記パターン部の高さの１．０１倍〜２．２５倍であることを特徴とする請求項１５に記載のフィルタ。
【請求項２０】
前記パターン部の屈折率は、前記ベース部の屈折率より大きいことを特徴とする請求項１５に記載のフィルタ。
【発明の詳細な説明】
【技術分野】
【０００１】
本発明は、ディスプレイパネル用フィルタに関し、特に、パネルの外部から入射される外光を遮断させるために、外光遮断シートを製作してパネルの前面に位置させることによって、パネルの明室コントラストを向上させ、かつ輝度が維持され得るようにするフィルタ及びそれを用いたプラズマディスプレイ装置に関する。
【背景技術】
【０００２】
一般に、プラズマディスプレイパネルは、放電空間に設置された電極に所定の電圧を印加して放電を起こし、ガス放電時に発生するプラズマが蛍光体を励起させることによって、文字又はグラフィックを含む画像を表示する装置であって、大型化及び軽量化と平面薄型化が容易であり、上下左右に広い視野角を提供し、フルカラー及び高輝度を実現することが可能であるという長所がある。
このようなプラズマディスプレイパネルは、ブラック映像を実現するとき、パネルの下板に露出している白色系の蛍光体によって、外光がパネルの前面から反射されることによって、ブラック映像が明るい系の暗い色と認知されて、コントラストが低下するという問題点がある。
【発明の開示】
【発明が解決しようとする課題】
【０００３】
本発明は、上述の問題点に鑑みてなされたもので、その目的は、パネルに入射される外部光を効果的に遮断して、プラズマディスプレイパネルの明室コントラスト及び輝度を改善できるようにするプラズマディスプレイ装置を提供することにある。
【課題を解決するための手段】
【０００４】
本発明に係るプラズマディスプレイ装置は、プラズマディスプレイパネルと、前記パネルの前面に位置するフィルタと、を含み、前記フィルタは、ベース部と、前記ベース部に互いに離隔するように形成されて、外光を吸収する複数のパターン部を含む外光遮断シートと、を備え、前記ベース部は、特定波長領域の光を吸収する染料又は顔料を含むことを特徴とする。
【０００５】
上記の目的を達成すべく、本発明に係るフィルタは、ベース部と、前記ベース部に互いに離隔するように形成されて、外光を吸収する複数のパターン部を含む外光遮断シートと、を備え、前記ベース部は、特定波長領域の光を吸収する染料又は顔料を含むことを特徴とする。
【発明の効果】
【０００６】
本発明に係る外光遮断シートを含むフィルタは、接着層を用いてパネルに付着されるフィルムフィルタタイプに形成されることができ、それとは異なり、ガラスを含んでパネルから離隔して配置されるガラスフィルタタイプにも形成することができる。
【発明を実施するための最良の形態】
【０００７】
以下、本発明の好ましい実施の形態について図１〜図３０を参照して詳細に説明する。
【０００８】
図１は、本発明に係るプラズマディスプレイパネルに対する一実施の形態を示した斜視図である。
【０００９】
図１に示すように、プラズマディスプレイパネルは、上部基板１０上に形成される維持電極対であるスキャン電極１１及びサステイン電極１２、下部基板２０上に形成されるアドレス電極２２を含む。
【００１０】
前記維持電極対１１、１２は、通常、インジウムスズ酸化物（Ｉｎｄｉｕｍ−Ｔｉｎ−Ｏｘｉｄｅ；ＩＴＯ）で形成された透明電極１１ａ、１２ａとバス電極１１ｂ、１２ｂを含み、前記バス電極１１ｂ、１２ｂは、銀（Ａｇ）、クロム（Ｃｒ）などの金属又はクロム／銅／クロム（Ｃｒ／Ｃｕ／Ｃｒ）の積層型若しくはクロム／アルミニウム／クロム（Ｃｒ／Ａｌ／Ｃｒ）の積層型で形成されることができる。バス電極１１ｂ、１２ｂは、透明電極１１ａ、１２ａ上に形成されて、抵抗の高い透明電極１１ａ、１２ａによる電圧降下を抑える機能を果たす。
【００１１】
一方、本発明の一実施の形態によれば、維持電極対１１、１２は、透明電極１１ａ、１２ａとバス電極１１ｂ、１２ｂとが積層された構造だけでなく、透明電極１１ａ、１２ａなしにバス電極１１ｂ、１２ｂのみでも構成されることができる。このような構造は、透明電極１１ａ、１２ａを使用しないので、パネルの製造単価を下げることができるという長所がある。このような構造に用いられるバス電極１１ｂ、１２ｂは、上に列挙した材料の他に感光性材料等、多様な材料が可能である。
【００１２】
スキャン電極１１及びサステイン電極１２の透明電極１１ａ、１２ａとバス電極１１ｂ、１２ｂとの間には、上部基板１０の外部から発生する外光を吸収して反射を減らす光遮断の機能と上部基板１０のピュリティ（Ｐｕｒｉｔｙ）及びコントラストを向上させる機能を果たすブラックマトリクス（Ｂｌａｃｋ  Ｍａｔｒｉｘ、ＢＭ）が配列することができる。
【００１３】
本発明の一実施の形態におけるブラックマトリクスは、上部基板１０に形成されるが、隔壁２１と重なる位置に形成される第１ブラックマトリクス１５と、透明電極１１ａ、１２ａとバス電極１１ｂ、１２ｂとの間に形成される第２ブラックマトリクス１１ｃ、１２ｃで構成されることができる。ここで、第１ブラックマトリクス１５とブラック層又はブラック電極層とも呼ばれる第２ブラックマトリクス１１ｃ、１２ｃは、形成過程で同時に形成されて、物理的に接続されることができ、同時に形成されないから、物理的に接続されない場合もある。
【００１４】
また、物理的に接続して形成される場合に、第１ブラックマトリクス１５と第２ブラックマトリクス１１ｃ、１２ｃは、同じ材質で形成されるが、物理的に分離されて形成される場合には、他の材質で形成することができる。
バス電極１１ｂ、１２ｂ又は隔壁２１が暗い色を有することによって、前記ブラックマトリクスのように、外部から発生する外光を吸収して反射を抑える光遮断の機能とコントラストを向上させる機能とを行うこともできる。又は、上部基板１０に形成された特定部材、例えば誘電体層１３と下部基板２０に形成された特定部材、例えば隔壁２１が互いに補色関係を有することによって、パネルの前面から見るときに重なる部分がほぼ黒色に見えるようにして、前記ブラックマトリクスのような機能を行うこともできる。
【００１５】
スキャン電極１１とサステイン電極１２とが並列して形成された上部基板１０には、上部誘電体層１３と保護膜１４とが積層される。上部誘電体層１３には、放電によって発生した荷電粒子が蓄積され、維持電極対１１、１２を保護する機能を行うことができる。保護膜１４は、ガス放電時に発生した荷電粒子のスパッタリングから上部誘電体層１３を保護し、２次電子の放出効率を上げるようになる。
【００１６】
また、アドレス電極２２は、スキャン電極１１及びサステイン電極１２と交差する方向に形成される。また、アドレス電極２２が形成された下部基板２０上には、下部誘電体層２４と隔壁２１とが形成される。
【００１７】
また、下部誘電体層２４と隔壁２１との表面には、蛍光体層２３が形成される。隔壁２１は、縦隔壁２１ａと横隔壁２１ｂとが閉鎖型に形成され、放電セルを物理的に区分し、放電により生成された紫外線と可視光とが隣接した放電セルに漏れるのを防止することができる。
【００１８】
図１に示すように、本発明に係るプラズマディスプレイパネルの前面には、フィルタ１００が形成されることが好ましく、フィルタ１００には、外光遮断シート、ＡＲ（Ａｎｔｉ−Ｒｅｆｌｅｃｔｉｏｎ）シート、ＮＩＲ（Ｎｅａｒ  Ｉｎｆｒａｒｅｄ）遮蔽シート、ＥＭＩ（Ｅｌｅｃｔｒｏ  Ｍａｇｎｅｔｉｃ  Ｉｎｔｅｒｆｅｒｅｎｃｅ）遮蔽シート、拡散シート、光特性シートなどが含まれることができる。
【００１９】
フィルタ１００と前記パネルとの間の間隔が１０μｍ〜３０μｍの範囲であるとき、外部から入射される光を効果的に遮断することができ、前記パネルから発生する光を外部に効果的に放出することができる。また、外部からの圧力などから前記パネルを保護するために、フィルタ１００と前記パネルとの間の間隔を３０μｍ〜１２０μｍの範囲にすることができ、衝撃を防止するために、前記フィルタ１００と前記パネルとの間に衝撃吸収の機能を有する粘着層を形成することもできる。
【００２０】
本発明の一実施の形態には、図１に示す隔壁２１の構造だけでなく、多様な形状の隔壁２１の構造も可能である。例えば、縦隔壁２１ａと横隔壁２１ｂの高さが異なる差等型隔壁構造、縦隔壁２１ａ又は横隔壁２１ｂのうちの少なくとも何れか１つ以上に排気通路として使用可能なチャネルが形成されたチャネル型隔壁構造、縦隔壁２１ａ又は横隔壁２１ｂのうちの何れか１つ以上に溝（Ｈｏｌｌｏｗ）が形成された溝型隔壁構造などが可能である。
【００２１】
ここで、差等型隔壁構造の場合には、横隔壁２１ｂの高さが高いことがさらに好ましく、チャネル型隔壁構造や溝型隔壁構造の場合には、横隔壁２１ｂにチャネルが形成されるか、又は溝が形成されることが好ましい。
【００２２】
一方、本発明の一実施の形態では、Ｒ、Ｇ及びＢ放電セルそれぞれが同じ線上に配列されることと図示及び説明されているが、他の形状に配列されることも可能である。例えば、Ｒ、Ｇ及びＢ放電セルが三角形状に配列されるデルタ（Ｄｅｌｔａ）タイプの配列も可能である。  また、放電セルの形状も、四角形状のみでなく、五角形、六角形などの多様な多角形状も可能である。
【００２３】
また、蛍光体層２３は、ガス放電時に発生した紫外線により発光して、赤色（Ｒ）、緑色（Ｇ）又は青色（Ｂ）のうちの何れか１つの可視光を発生するようになる。ここで、上部／下部基板１０、２０と隔壁２１との間に設けられた放電空間には、放電のためのＨｅ＋Ｘｅ、Ｎｅ＋Ｘｅ及びＨｅ＋Ｎｅ＋Ｘｅなどの不活性混合ガスが注入される。
図２は、本発明に係るフィルタに備えられる外光遮断シート構造に対する一実施の形態を示した断面図であって、外光遮断シートは、ベース部２００及びパターン部２１０を含んでなる。
【００２４】
ベース部２００は、光が円滑に透過され得るように、透明なプラスチック材質、例えば紫外線（ＵＶ）硬化方式により形成された樹脂（Ｒｅｓｉｎ）系の物質からなることが好ましく、パネルの前面を保護する効果を高めるために、堅固なガラス材質が使用されることもできる。
【００２５】
図２に示すように、パターン部２１０の形状は三角形であり得、それ以外に様々な形状を有することもできる。パターン部２１０は、ベース部２００より暗い色の物質から形成され、好ましくは、黒い色の物質からなる。例えば、パターン部２１０はカーボン（ｃａｒｂｏｎ）系の物質から形成するか、黒い色の染料を塗布して外光を吸収する効果を極大化することができる。以下では、パターン部２１０の上端と下端のうち、幅がより広いことをパターン部２１０の下端という。
【００２６】
図２において、パターン部２１０の下端はパネル側に配置され、パターン部２１０の上端は外光が入射される観察者側に配置されることができる。また、前記配置と反対に、パターン部２１０の下端は観察者側に配置され、パターン部２１０の上端はパネル側に配置されることもできる。
【００２７】
外部光源は、パネルの上側に位置することが通常であるから、外光は、上側から斜めにパネルに入射されてパターン部２１０に吸収される。
パターン部２１０は、光吸収粒子を含むことができ、光吸収粒子は、特定色に着色された樹脂粒子であり得る。光吸収の効果を最大化するために、光吸収粒子は、黒い色に着色されることが好ましい。
【００２８】
光吸収粒子の製造及びパターン部２１０の内部への添加が容易であり、外光を吸収する効果を最大化するために、光吸収粒子の大きさは１μｍ以上でありうる。また、光吸収粒子の大きさが１μｍ以上である場合に、パターン部２１０に屈折する外光を効果的に吸収するために、パターン部２１０は、光吸収粒子を１０重量％以上含むことができる。すなわち、パターン部２１０の全体重量の１０％以上の重量の光吸収粒子がパターン部２１０に含まれることができる。
【００２９】
図３〜図６は、外光遮断シートの構造に応じる光特性を説明するために、外光遮断シートの構造に対する実施の形態を示した断面図である。
【００３０】
図３の場合に、外光を吸収して遮断し、パネルから放出される可視光線を全反射してパネル光の反射率を高めるために、パターン部３０５の屈折率、少なくともパターン部３０５の一部分である傾斜面の屈折率をベース部３００の屈折率より小さくした場合である。
上記のように、プラズマディスプレイパネルの明室コントラストを低下させる外光は、パネルの上側に位置する場合が多い。図３に示すように、スネル（ｓｎｅｌｌ）の法則により、外光遮断シートに斜めに入射される外光（点線で表示）は、ベース部３００より小さい屈折率を有するパターン部３０５の内部に屈折して吸収される。パターン部３０５の内部に屈折される外光は、光吸収粒子により吸収され得る。
【００３１】
また、ディスプレイのために、パネル３１０から外部に放出される光（実線で表示）は、パターン３０５の傾斜面から全反射して、観察者側である外部に反射される。
上記のように、外光（点線で表示）は、パターン部３０５に屈折されて吸収され、パネル３１０から放出される光（実線で表示）がパターン部３０５から全反射する理由は、図３に示すように、パネル３１０の光がパターン部３０５の傾斜面となす角より外光がパターン部３０５の傾斜面となす角が大きいためである。
【００３２】
よって、本発明に係る外光遮断シートは、外光が観察者側に反射されないように外光を吸収し、パネルから放出される光の反射量を高めることによって、ディスプレイ映像の明室コントラストを向上させる。
【００３３】
パネル３１０に入射される外光の角度を考慮して、外光の吸収及びパネル３１０光の全反射を最大化するためには、パターン部３０５の屈折率は、ベース部３００の屈折率の０．３倍以上１倍未満であることが好ましい。パネル３１０から放出される光がパターン部３０５の傾斜面から全反射することを最大化するために、プラズマディスプレイパネルの上下の視野角を考慮すると、パターン部３０５の屈折率は、ベース部３００の屈折率の０．３倍〜０．８倍の範囲であることが好ましい。
【００３４】
図３に示すように、パターン部３０５の上端が観察者側に配置され、パターン部３０５の屈折率がベース部３００の屈折率より小さい場合には、パネルから放出される光がパターン部３０５の傾斜面から反射されて観察者側に向けて拡散されることになり、これにより、観察者側から見るとき、映像が鮮明でなく、ぼやけて見えるゴースト現象（ｇｈｏｓｔ  ｐｈｅｎｏｍｅｎｏｎ）が生じることができる。
【００３５】
図４は、パターン部３２５の上端が観察者側に配置され、パターン部３２５の屈折率がベース部３２０の屈折率より大きい場合である。図４に示すように、パターン部３２５の屈折率がベース部３２０の屈折率より大きいから、スネルの法則によってパターン部３２５に入射される外光及びパネル光は、全てパターン部３２５に吸収される。
【００３６】
よって、パターン部３２５の上端が観察者側に配置され、パターン部３２５の屈折率がベース部３２０の屈折率より大きいとき、ゴースト現象を減少させることができる。パターン部３２５に斜めに入射されるパネル光を十分に吸収してゴースト現象を防止するために、パターン部３２５の屈折率とベース部３２０の屈折率との差は、０．０５以上であることが好ましい。
【００３７】
パターン部３２５の屈折率をベース部３２０の屈折率より大きくする場合に、外光遮断シートの透過率及び明室コントラストが減少され得るので、ゴースト現象を防止し、かつ外光遮断シートの透過率を大きく低下させないために、パターン部３２５の屈折率とベース部３２０の屈折率との差は、０．０５〜０．３の範囲であることが好ましい。また、ゴースト現象を防止し、かつパネルの明室コントラストを適正水準に維持するためには、パターン部３２５の屈折率をベース部３２０の屈折率の１．０倍〜１．３倍の範囲にすることが好ましい。
【００３８】
図５は、パターン部３４５の下端が観察者側に配置され、パターン部３４５の屈折率がベース部３４０の屈折率より小さい場合である。図５に示すように、パターン部３４５の下端を外光が入射される観察者側に配置して、パターン部３４５の下端に外光が吸収されるようにすることによって、外光遮断の効果を向上させることができる。また、図４に示したものよりパターン部３４５の下端間の間隔を大きくすることができるので、外光遮断シートの開口率を向上させることができる。
【００３９】
図５に示すように、パネル３５０から放出されるパネル光は、パターン部３４５の傾斜面から反射されて、ベース部３４０を通過したパネル光を中心に集まることができる。それにより、外光遮断シートの透過率を大きく低下させずに、ゴースト現象を減少させることができる。
【００４０】
パネル光がパターン部３４５の傾斜面から反射されて、ベース部３４０を通過したパネル光を中心に集まるにつれて、ゴースト現象を防止するためには、パネル３５０と外光遮断シートとの間の間隔ｄが１．５〜３．５ｍｍの範囲であることが好ましい。
【００４１】
図６は、パターン部３６５の下端が観察者側に配置され、パターン部３６５の屈折率がベース部３６０の屈折率より大きい場合である。図６に示すように、パターン部３６５の屈折率がベース部３６０の屈折率より大きいから、パターン部３６５の傾斜面に入射されるパネル光は、パターン部３６５に吸収され得る。それにより、ベース部３６０を通過したパネル光により映像がディスプレイされるので、ゴースト現象が減少され得る。
また、パターン部３６５の屈折率がベース部３６０の屈折率より大きいので、外光吸収の効果が向上することができる。
【００４２】
図７は、本発明に係るフィルタに備えられる外光遮断シートの構造に対する第１の実施の形態を示した断面図である。外光遮断シートの厚さＴが２０μｍ〜２５０μｍの範囲であるとき、製造工程が容易であり、適切な光透過率を有することができる。パネルから放出される光が円滑に透過されるようにし、外部から入射される光が屈折されてパターン部４１０に効果的に吸収及び遮断されるようにし、シートの堅固性を確保するために、外光遮断シートの厚さＴは、１００μｍ〜１８０μｍの範囲に形成されることができる。
【００４３】
図７に示すように、ベース部４００上に形成されるパターン部４１０は、三角形の形状を有することができ、さらに好ましくは、二等辺三角形の形状を有することができる。また、パターン部４１０の下端の幅Ｐ１は、１８μｍ〜３６μｍの範囲に形成されることができ、そういう場合に、パネルから発生する光を円滑にユーザ側に放出させるための開口率を確保し、外光遮断効率を極大化することができる。
【００４４】
パターン部４１０の高さｈは、８０μｍ〜１７０μｍの範囲に形成され、下端の幅Ｐ１との関係で外光の吸収及びパネル光の反射を効果的にすることができる傾斜面の傾きを形成することができ、パターン部４１０の短絡を防止することができる。
【００４５】
パネル光がユーザ側に放出されて適正輝度のディスプレイ映像を表示するための開口率を確保し、外光遮断効果及びパネル光の反射効率を増加させるための最適のパターン部４１０の傾斜面の傾きを確保するために、互いに隣接した２つのパターン部間の間隔Ｄ１は、４０μｍ〜９０μｍの範囲であり得、互いに隣接したパターン部の上端間の間隔Ｄ２は、９０μｍ〜１３０μｍの範囲であり得る。
【００４６】
上記のような理由によって、互いに隣接した２つのパターン部間の間隔Ｄ１がパターン部４１０の下端の幅の１．１倍〜５倍の範囲であるとき、ディスプレイのための開口率を確保することができる。また、開口率の確保とともに外光遮断効果及びパネル光の反射効率を最適化するためには、互いに隣接した２つのパターン部間の間隔Ｄ１がパターン部４１０の下端の幅の１．５倍〜３．５倍の範囲であり得る。
【００４７】
パターン部４１０の高さｈが互いに隣接した２つのパターン部間の間隔Ｄ１の０．８９倍〜４．２５倍の範囲を有する場合に、上側から斜めに入射される外光がパネルに入射されないようにすることができる。また、パターン部４１０の短絡を防止し、パネル光の反射効率を最適化するために、パターン部４１０の高さｈは、互いに隣接した２つのパターン部間の間隔Ｄ１の１．５倍〜３倍の範囲であり得る。
【００４８】
また、互いに隣接した２つのパターン部の上端間の間隔Ｄ２が互いに隣接した２つのパターン部の下端間の間隔Ｄ１の１倍〜３．２５倍の範囲であるとき、適正輝度を有する映像のディスプレイのための開口率を確保することができる。また、パネル光がパターン部４１０の傾斜面から全反射される反射効率を最適化するために、互いに隣接した２つのパターン部の上端間の間隔Ｄ２は、互いに隣接した２つのパターン部の下端間の間隔Ｄ１の１．２倍〜２．５倍の範囲であり得る。
【００４９】
以上、パターン部４１０の上端が観察者側に配置される場合を例に挙げて、本発明に係る外光遮断シートの構造について説明したが、図７を参照して上述した内容は、パターン部４１０の下端が観察者側に配置される場合にも適用できる。
【００５０】
図８は、本発明に係るプラズマディスプレイパネルの上部基板に形成されたバス電極の構造に対する一実施の形態を示した断面図である。
【００５１】
図７を参照して説明したように、外光遮断シートの互いに隣接したパターン部間の間隔は、４０μｍ〜９０μｍの範囲であることが好ましく、パネルの上部基板に形成された互いに隣接した２つのバス電極５００、５１０間の間隔ａが２２５μｍ〜４８０μｍの範囲であるとき、ディスプレイ映像が適正輝度を有するようにするためのパネルの開口率を確保するとともに、放電開始電圧を減少させることができる。それにより、互いに隣接した２つのバス電極５００、５１０間の間隔ａが互いに隣接した２つのパターン部間の間隔の２．５倍〜１２倍の範囲であるとき、パネルの適正開口率を確保し、外光遮断効率を極大化することができ、パネル光の反射効率を最適化することができる。
【００５２】
また、外光遮断シートのパターン部とパネルのバス電極とが重なることによって発生するモアレ現象を減少させるためには、互いに隣接したパターン部間の間隔は４０μｍ〜６０μｍの範囲であり、互いに隣接した２つのバス電極５００、５１０間の間隔ａは２２５μｍ〜４８０μｍの範囲であることが好ましい。したがって、互いに隣接した２つのバス電極５００、５１０間の間隔ａが互いに隣接した２つのパターン部間の間隔の４倍〜１０倍の範囲であるとき、パネルの適正開口率を確保し、外光遮断効率を極大化することができ、パネル光の反射効率を最適化するとともに、モアレ現象を減少させることができる。
【００５３】
図７を参照して説明したように、外光遮断シートのパターン部の下端の幅は、１８μｍ〜３５μｍの範囲であることが好ましく、パネルの上部基板に形成されたバス電極５００の幅ｂは、４５μｍ〜９０μｍの範囲であるとき、パネルを駆動するための適正抵抗及びキャパシタンスを確保することができ、ディスプレイ映像が適正輝度を有するようにするためのパネルの開口率を確保することができる。したがって、パネルを駆動するための適正抵抗及びキャパシタンスを確保することができ、ディスプレイ映像が適正輝度を有するようにするためのパネルの開口率を確保するために、パターン部の下端の幅は、バス電極５００の幅ｂの０．２倍〜０．８倍の範囲であることが好ましい。
【００５４】
図９は、本発明に係るプラズマディスプレイパネルの下部基板に形成された隔壁の構造に対する実施の形態を示した断面図であって、隔壁は、上部基板に形成されたバス電極と交差する方向に形成された縦隔壁６２０及び縦隔壁６２０に交差する方向に形成された横隔壁６００、６１０を含む。
【００５５】
ディスプレイ映像の適正輝度及び解像度の確保を考慮すると、互いに隣接した２つの横隔壁６００、６１０間の間隔ｃは、４８３μｍ〜８１０μｍの範囲でありうる。それにより、パネルの適正開口率を確保するとともに、外光遮断効果及びパネル光の反射効率を増加させるための互いに隣接した２つのパターン部間の間隔が４０μｍ〜９０μｍの範囲であることを考慮すると、互いに隣接した２つの横隔壁６００、６１０間の間隔ｃが互いに隣接した２つのパターン部間の間隔の５．４倍〜２０．３倍の範囲であることが好ましい。
【００５６】
また、互いに隣接したパターン部間の間隔が４０μｍ〜６０μｍの範囲であり、互いに隣接した２つの横隔壁６００、６１０間の間隔ｃが６００μｍ〜７００μｍの範囲であるとき、外光遮断シートのパターン部とパネルの横隔壁とが重なることによって発生するモアレ現象を減少させることができる。したがって、互いに隣接した２つの横隔壁６００、６１０間の間隔ｃが互いに隣接した２つのパターン部間の間隔の１０倍〜１７．５倍の範囲であるとき、外部から発生する外部光を吸収して反射を減らす光遮断効率と上部基板のピュリティ及びコントラストを向上させる効率を最大化するとともに、モアレ現象を減少させることができる。
【００５７】
図７を参照して説明したように、外光遮断シートのパターン部の下端の幅は、１８μｍ〜３５μｍの範囲であることが好ましく、横隔壁６００の上端の幅ｄが４５μｍ〜９０μｍの範囲であるとき、ディスプレイ映像が適正輝度を有するようにするためのパネルの開口率を確保することができる。したがって、ディスプレイ映像が適正輝度を有するようにするためのパネルの開口率を確保し、外光遮断シートのパターン部とパネルの横隔壁とが重なることによって発生するモアレ現象を減少させるために、パターン部の下端の幅は、横隔壁６００の上端の幅ｄの０．２倍〜０．８倍の範囲であることが好ましい。
【００５８】
図１０は、本発明に係る外光遮断シートのパターン部とパネルの放電セルとが重なる構造に対する一実施の形態を示す図である。
図１０に示すように、横隔壁６３０、６４０と縦隔壁６５０、６６０とに区画される一つの放電セルは、外光遮断シートの複数のパターン部６７０、６８０、６９０と重なる。
【００５９】
図７を参照して説明したように、パターン部６７０の下端幅は、１８μｍ〜３５μｍの範囲であり、互いに隣接した２パターン部６７０、６８０間の間隔が４０μｍ〜９０μｍの範囲であることが好ましいので、それによりパターン部のピッチｐは、５８μｍ〜１２５μｍの範囲であることが好ましい。
【００６０】
図１０に示すように、上述のように、互いに隣接した２つの横隔壁６３０、６４０間の間隔ｃが４８３μｍ〜８１０μｍの範囲であり、パターン部のピッチｐは、５８μｍ〜１２５μｍの範囲であるので、互いに隣接した２つの横隔壁６３０、６４０間の間隔ｃは、パターン部のピッチｐの３．９倍〜１３．９倍の範囲でありうる。
【００６１】
よって、パネル光がユーザ側に十分に放出されるために、５０％〜８０％の範囲の開口率を確保し、それによって外光吸収効率を向上させ、かつディスプレイ映像の輝度を改善するために、一つの放電セルと重なるパターン部６７０、６８０、６９０の平均個数は、３．９個〜１３．９個の範囲であることが好ましい。
【００６２】
また、４２インチＸＧＡ解像度を有するパネルの場合に、互いに隣接した２つの横隔壁６３０、６４０間の間隔ｃを約６７５μｍと仮定すると、一つの放電セルと重なるパターン部６７０、６８０、６９０の平均個数は、５．４個〜１１．６個の範囲でありうる。
【００６３】
４２インチのフルーＨＤ解像度を有するパネルの場合に、互いに隣接した２つの横隔壁６３０、６４０間の間隔ｃを約４８３μｍと仮定すると、一つの放電セルと重なるパターン部６７０、６８０、６９０の平均個数は、３．９個〜８．３個の範囲でありうる。
【００６４】
５０インチＸＧＡ解像度を有するパネルの場合に、互いに隣接した２つの横隔壁６３０、６４０間の間隔ｃを約８１０μｍと仮定すると、一つの放電セルと重なるパターン部６７０、６８０、６９０の平均個数は、６．５個〜１３．９個の範囲でありうる。
５０インチフルーＨＤ解像度を有するパネルの場合に、互いに隣接した２つの横隔壁６３０、６４０間の間隔ｃを約５７９μｍと仮定すると、一つの放電セルと重なるパターン部６７０、６８０、６９０の平均個数は、４．６個〜１０．０個の範囲でありうる。
【００６５】
また、パネルの横隔壁６３０、６５０又はパネルの上部基板のバス電極との間からモアレ現象が発生するのを減少させるために、パターン部のピッチｐは、６０μｍ〜８０μｍの範囲でありうる。したがって、一つの放電セルと重なるパターン部６７０、６８０、６９０の平均個数が６個〜１３．５個の範囲であるとき、ディスプレイ映像の輝度を大きく低下させない範囲で外光遮断シートの外光吸収効率及びモアレ現象を改善できる。
【００６６】
外光遮断シートに所定の間隔で形成された複数のパターン部とブラックマトリクス、ブラック層、バス電極、隔壁などのように、前記パネルに所定のパターンで形成された部分が重なることによりモアレ現象が発生し得る。モアレ現象とは、似た格子状のパターンが重なりつつ発生する低周波のパターンのことを言うが、例えば、カヤを重なっておいたときに見える波紋パターンなどがある。
【００６７】
従って、本発明に係る外光遮断シートの場合に、複数のパターン部を斜めに形成することによって、パネルに形成されたブラックマトリクス、ブラック層、バス電極、隔壁などと重なることによって発生するモアレ現象を減少させることができる。
図１１〜図１４は、本発明に係る外光遮断シートを含むフィルタの構造に対する実施の形態を示す断面図である。
【００６８】
図１１及び図１２に示すように、ディスプレイパネルの前面に形成されるフィルタ７００は、ＡＲ／ＮＩＲシート７１０、光特性シート７２０、ＥＭＩ遮蔽シート７３０及び外光遮断シート７４０を含むことができる。
ＡＲ／ＮＩＲシート７１０は、透明なプラスチック材質からなるベースシート７１３の前面に外部から入射される光が反射することを防止して、グレア現象を減少させる機能があるＡＲ（Ａｎｔｉ−Ｒｅｆｌｅｃｔｉｏｎ）層７１１が付着され、後面には、パネルから放射される近赤外線を遮蔽して、リモコンなどのように赤外線を用いて伝達される信号が正常に伝達され得るようにするＮＩＲ（Ｎｅａｒ  Ｉｎｆｒａｒｅｄ）遮蔽シート７１２が付着されうる。
【００６９】
光特性シート７２０は、パネルから入射される光の色温度、色純度又は輝度特性を改善させ、透明なプラスチック材質からなるベースシート７２２の前面又は後面に所定の染料と粘着剤からなる光特性層７２１が積層されうる。
ＥＭＩ遮蔽シート７２０は、透明なプラスチック材質からなるベースシート７２２の前面にＥＭＩ（Ｅｌｅｃｔｒｏ  ｍａｇｎｅｔｉｃ  Ｉｎｔｅｒｆｅｒｅｎｃｅ）を遮蔽して、パネルから放射されるＥＭＩが外部に放出されるのを防止するＥＭＩ遮蔽シート７２１が付着される。例えば、ＥＭＩ遮蔽シート７２１は、導電性を有する物質を用いて、メッシュ（Ｍｅｓｈ）構造で形成されることができ、接地が円滑になされるようにするために、画像が表示されないＥＭＩ遮蔽シート７２０の非有効表示領域には、導電性物質が全体的に塗布されうる。
【００７０】
また、本発明に係るフィルタは、外部光を効果的に遮断してプラズマディスプレイパネルのブラック映像をさらに暗く表現されうるようにする外光遮断シート７３０を含む。
それぞれのシート７１０、７２０、７３０、７４０及びフィルタ７００がパネルの前面に堅固に付着されうるようにするために、ＡＲ／ＮＩＲシート７１０、光特性シート７２０、ＥＭＩ遮蔽シート７３０及び外光遮断シート７４０の間には、接着層７５０が含まれることができる。それぞれのシート７１０、７２０、７３０、７４０の間に含まれたベースシートの材質は、フィルタ製作の容易性を考慮して実質的に同じ材質を使用することが好ましい。
一方、図１１では、ＡＲ／ＮＩＲシート７１０、光特性シート７２０、ＥＭＩ遮蔽シート７３０、外光遮断シート７４０の順に積層されているが、図１２に示すように、ＡＲ／ＮＩＲシート７１０、光特性シート７２０、外光遮断シート７４０、ＥＭＩ遮蔽シート７３０の順に積層されうるように、各シートの積層順序は、当業者によって異なって積層されうる。また、図示のシート７１０、７２０、７３０、７４０のうち、少なくともいずれか一層が省略されうる。
【００７１】
本発明に係る外光遮断シートのベース部は、特定波長領域の光を吸収する染料（ｄｙｅ）又は顔料（ｐｉｇｍａｅｎｔ）を含むことができる。例えば、前記ベース部は、近赤外線を吸収する近赤外線吸収染料又は顔料、ネオン（ｎｅｏｎ）光などのように特定色を有する光を吸収して色温度又は色純度を補正する色補正染料又は顔料を含むことができる。また、前記ベース部は、前記近赤外線吸収染料又は顔料と色補正染料又は顔料以外にパネル光の特性を変化させうる様々な機能性染料又は顔料、例えばパネルが駆動されないときに有効表示画面の色をブラック化する機能性染料を含むことができる。
近赤外線は、７００〜１２００ｎｍの範囲の波長領域に属するものであって、パネル内に充填された混合ガスのうち、放電時に８００〜１１００ｎｍの範囲の線（ｒａｙｓ）を放出するゼノン（Ｘｅ）により生成されることができる。近赤外線が外部に放出されると、赤外線（ＩＲ）を使用して信号を伝達するリモートコントローラなどのような装置の信号がパネルに正常に伝達されなくなる。
【００７２】
本発明に係る外光遮断シートのベース部は、８００μｍ〜１１００μｍの範囲の波長を有する近赤外線を吸収する近赤外線吸収染料又は顔料を含んで近赤外線がパネルから外部に放出されるのを減少させることができる。
【００７３】
前記近赤外線吸収染料は、ジインモニウム（ｄｉｉｍｍｏｎｉｕｍ）系染料、フタロシアニン（ｐｈｔｈａｌｏｃｙａｎｉｎｅ）系染料、ナフタロシアニン（ｎａｐｈｔｈａｌｏｃｙａｎｉｎｅ）系染料及び金属錯体（ｍｅｔａｌ−ｃｏｍｐｌｅｘ）系染料又は前記染料の化合物など、８００μｍ〜１１００μｍの範囲の波長を有する近赤外線を吸収できる染料を幅広く使用することができる。
【００７４】
以下の式１は、近赤外線を吸収するジインモニウム系染料の化学式を表したものである。
【００７５】
【化１】
2009031747.tif 000003
【００７６】
前記式１において、Ｒ１〜Ｒ１２は、それぞれ独立的に水素原子、ハロゲン原子、置換若しくは非置換の炭素数１〜１６のアルキル基、置換若しくは非置換の炭素数１〜１６のアリール基であり、Ｘは１価又は２価の有機酸負イオン、又は１価又は２価の無機酸負イオンである。
【００７７】
前記式１において、有機酸１価負イオンは、有機カルボキシル酸イオン、有機スルホン酸イオン、有機ホウ酸イオンなどがある。有機カルボキシル酸イオンには、アセテートイオン、乳酸イオン、トリフルオロ酢酸イオン、プロピオン酸イオン、安息香酸イオン、シュウ酸イオン、コハク酸イオン又はステアリン酸イオンがある。また、有機スルホン酸イオンには、メタルスルホン酸イオン、トルエンスルホン酸イオン、ナフタリンモノスルホン酸イオン、クロロベンゼンスルホン酸イオン、ニトロベンゼンスルホン酸イオン、ドデシルベンゼンスルホン酸イオン、ベンゾスルホン酸イオン、エタンスルホン酸イオン又はトリフルオロメタンスルホン酸イオンがある。有機ホウ酸イオンには、テトラフェニルホウ酸イオン又はブチルトリフェニルホウ酸イオンが好ましい。
【００７８】
また、無機１価負イオンは、ハロゲナイトイオンがあり、例えばフッ化物イオン、塩化物イオン、臭化物イオン、ヨウ化物イオン、チオシアン酸イオン、ヘキサフルオロアンチモン酸イオン、過塩素酸イオン、過ヨウ素酸イオン、硝酸イオン、テトラフルオロホウ酸イオン、ヘキサフルオロリン酸イオン、モリブデン酸イオン、タングステン酸イオン、チタン酸イオン、バナジウム酸イオン、リン酸イオン、ホウ酸イオンが好ましい。また、２価負イオンには、ナフタリン−１，５−ジスルホン酸、ナフタリン−１，６−ジスルホン酸、ナフタリンジスルホン酸誘導体などが好ましい。
【００７９】
以下の式２は、近赤外線を吸収するフタロシアニン系染料の化学式を表したものである。
【００８０】
【化２】
2009031747.tif 000004
【００８１】
以下の式３は、近赤外線を吸収するナフタロシアニン系染料の化学式を表したものである。
【００８２】
【化３】
2009031747.tif 000005
【００８３】
前記式２及び式３において、Ｒは、それぞれ独立的に水素原子、ハロゲン原子、置換若しくは非置換の炭素数１〜１６のアルキル基、置換若しくは非置換のフェニル基、置換若しくは非置換の炭素数１〜５のアルコキシ基、置換若しくは非置換のアリルオキシ基、フッ素置換アルコキシ基、又は置換若しくは非置換の窒素原子を１個以上有する五角環である。そして、Ｍは、２個の水素原子、２価の金属原子、３価又は４価の置換金属原子及びオキシ金属のいずれか一つを表し、好ましくは、Ｍはニッケル、白金、パラジウム又は銅である。
【００８４】
以下の式４及び５は、近赤外線を吸収する金属錯体（ｍｅｔａｌ−ｃｏｍｐｌｅｘ）系染料の化学式を表したものである。
【００８５】
【化４】
2009031747.tif 000006
【００８６】
【化５】
2009031747.tif 000007
【００８７】
前記式４及び式５において、Ｒ及びＲ１〜Ｒ４は、それぞれ独立的に水素、炭素数１〜１６のアルキル基、アリール基、又はアルコキシ基、フェノキシ基、ヒドロキシ基、炭素数１〜１６のアルキルアミノ基、アリールアミノ基、トリフルオロメチル基、炭素数１〜１６のアルキルチオ基、アリールチオ基、ニトロ基、シアノ基、ハロゲン原子、フェニル基、又はナフチル基である。
【００８８】
前記ベース部と近赤外線吸収染料の重量比は、１０：１〜１００００：１の範囲でありうる。前記重量比は、近赤外線吸収染料のモル吸光係数又は遮断しようとする透過率によって変わりうる。前記近赤外線吸収染料を含む外光遮断シートの近赤外線透過率は、１０％以下であることが好ましい。
【００８９】
パネルの赤色蛍光体から出る光の波長は、５６０μｍ〜６３０μｍの範囲に位置し、そのうち、ネオン光は、赤色光の純度を低下させる。
したがって、本発明に係る外光遮断シートのベース部は、５７０μｍ〜６００μｍの範囲の波長を有するネオン光を吸収するネオン−カット染料又は顔料を含んで赤色光の純度を向上させることができる。
前記ネオン−カット染料は、ハーフバンド幅（Ｈａｌｆ  Ｂａｎｄ  Ｗｉｄｔｈ）が５０ｎｍ以下である染料であって、分子内又は分子間金属錯体形態を有する染料を使用することができる。
【００９０】
例えば、前記ネオン−カット染料は、下記の式６で表される分子内金属錯体形態を有するポルフィリン系（ｐｏｒｐｈｙｒｉｎ）染料、下記の式７及び式８で表される分子間金属錯体形態を有するシアニン系染料又は前記染料の化合物でありうる。また、前記ネオンカット染料は、アミン系染料又はポリメチン（ｐｏｌｙｍｅｔｉｎ）系染料などのように、５７０μｍ〜６００μｍの波長を有するネオン光を吸収する染料が幅広く使用されうる。
【００９１】
【化６】
2009031747.tif 000008
【００９２】
【化７】
2009031747.tif 000009
【００９３】
【化８】
2009031747.tif 000010
【００９４】
前記式６において、Ｒ１〜Ｒ８は、それぞれ独立的に水素原子、ハロゲン原子、置換若しくは非置換の炭素数１〜１６のアルキル基、置換若しくは非置換のアルコキシ基；置換若しくは非置換のフェニル基、置換若しくは非置換のアリルオキシ基、フッ素置換アルコキシ基、又は置換若しくは非置換の窒素原子を１個以上有する五角環であり；Ｍは水素原子、酸素原子、ハロゲン原子、又は２価〜４価の金属原子で配位子を有する金属であり、前記式７及び  式８において、Ｒは、それぞれ独立的に水素原子、炭素数１〜３０の置換又は非置換の脂肪族炭化水素、炭素数１〜８のアルコキシ基、又は炭素数６〜３０のアリール基であり、Ｘ及びＹは、各々独立的にハロゲン、ニトロ基、カルボキシ基、炭素数２〜８のアルコキシ基、フェノキシカルボニル基、カルボキシレート基、炭素数１〜８のアルキル基、炭素数１〜８のアルコキシ基又は炭素数６〜３０のアリール基である。
【００９５】
前記式６において、Ｍの２価の金属原子には、Ｃｕ、Ｚｎ、Ｆｅ、Ｃｏ、Ｎｉ、Ｒｕ、Ｒｄ、Ｐｄ、Ｍｎ、Ｓｎ、Ｍｇ、Ｔｉなどがあり、３価の１置換された金属原子には、Ａｌ−Ｃｌ、Ｇａ−Ｃｌ、Ｉｎ−Ｃｌ、Ｆｅ−Ｃｌ、Ｒｕ−Ｃｌなどのように金属にハロゲン原子、水酸基、アルコキシ基が１置換されることができ、４価の２置換金属には、ＳｉＣｌ２、ＧａＣｌ２、ＴｉＣｌ２、ＳｎＣｌ２、Ｓｉ（ＯＨ）２、Ｇｅ（ＯＨ）２、Ｍｎ（ＯＨ）２、Ｓｎ（ＯＨ）２などのように、金属原子にハロゲン、水酸基、アルコキシ基が置換されることができ、オキシ金属としてＶＯ、ＭｎＯ、ＴｉＯなどのように金属に酸素が結合されうる。
【００９６】
また、前記ベース部とネオン−カット染料の重量比は、１０：１〜１００００：１でありうる。前記重量比は、使用されるネオン−カット染料のモル吸光係数又は遮断しようとする透過率に応じて変わりうる。
【００９７】
前記外光遮断シートのベース部は、アントラキノン（ａｎｔｈｒａｑｕｉｎｏｎｅ）系染料、フタロシアニン系染料及びチオインジゴ系染料のうちの少なくとも１つを含む色補正染料を含み、パネル光の色温度又は色純度を補正することができる。
【００９８】
例えば、前記ベース部は、赤色光又は緑色光を吸収する染料又は顔料を含み、前記パネル光の赤色又は緑色の輝度を下げ、青色の輝度を上げるなど、パネルの特性によって特定色の透過率又は輝度を調整することができる。
前記外光遮断シートのベース部は、架橋剤又はカップリング剤をさらに含むことができる。
【００９９】
図１３及び図１４は、特定波長領域の光を吸収する染料又は顔料を含む外光遮断シートを備えるフィルタの構造に対する実施の形態を示すものであって、図示の各シートの機能の中で、図１１及び図１２を参照して説明しものと同じものについては、その説明を省略する。
【０１００】
図１３及び図１４に示すように、ディスプレイパネルの前面に形成されるフィルタ８００は、ＡＲシート８１０、ＥＭＩ遮蔽シート８２０及び外光遮断シート８３０を含むことができる。
【０１０１】
上述のように、外光遮断シート８３０のベース部は、近赤外線（ＮＩＲ）を遮断するための染料又は顔料、ネオン光を吸収するための染料又は顔料、その他、パネル光の特性を調整することができる色補正染料又は顔料、機能性染料又は顔料を含むことができる。
【０１０２】
図１３に示すように、外光遮断シート８３０のベース部が近赤外線吸収染料又は顔料を含む場合に、別途のＮＩＲ遮蔽シートがフィルタに備えられない場合もあり、外光遮断シート８３０のベース部が色補正／機能性染料又は顔料を含む場合には、別途の光特性シートがフィルタに備得られない場合もある。それによって、フィルタの構造を単純化でき、フィルタの製造費用を低減させ、かつ製造工程の容易性を向上させることができる。
それぞれのシート８１０、８２０、８３０及びフィルタ８００がパネルの前面に堅固に付着され得るようにするために、接着層８４０がフィルタに含まれうる。それぞれのシート８１０、８２０、８３０の間に含まれたベースシートの材質は、フィルタ製作の容易性を考慮して、実質的に同じ材質を使用することが好ましい。
【０１０３】
一方、図１３では、ＡＲシート８１０、ＥＭＩ遮蔽シート８２０、外光遮断シート８３０の順に積層されているが、図１４に示すように、ＡＲシート８１０、外光遮断シート８３０、ＥＭＩ遮蔽シート８２０の順に積層されうるように、各シートの積層順序は、当業者によって異なって積層されうる。
【０１０４】
また、外光遮断シート８３０のベース部が近赤外線の遮断又は色補正などのための染料又は顔料を含む場合にも、機能の強化又は追加のために、図１１及び図１２に示すような別途のＮＩＲ遮蔽シート又は光特性シートがフィルタに備えられることもできる。
【０１０５】
図１１〜図１４に示すベースシートのうち、少なくとも一つのベースシート又は接着層が省略されることができ、前記ベースシートのうちのいずれか一つは、プラスチック材質ではない堅固なガラスが使用されて、パネルを保護する機能を向上させることができる。前記ガラスは、パネルから所定間隔に離隔して形成されることが好ましい。
【０１０６】
また、本発明に係るフィルタは、拡散シートをさらに含むことができる。拡散シートは、光が均一な明るさを維持するように入射される光を拡散させる機能を果たす。それにより、拡散シートは、パネルから放出される光を均一に拡散させてディスプレイ画面の上下視野角を広め、外光遮断シートなどに形成されたパターンを隠蔽することができる。また、拡散シートは、上下の視野角に該当する方向に光を集光して正面の輝度を均一にし、かつ、帯電防止性を向上させることができる。
【０１０７】
拡散シートには、透過型又は反射型拡散フィルムなどを使用することができ、一般に、ポリマー材料のベースシートに小さいガラス玉の粒が混合された形態を有することができる。また、拡散シートのベースシートに高純度のアクリル樹脂（ＰＭＭＡ）が用いられることができ、高純度のアクリル樹脂（ＰＭＭＡ）を用いる場合に、シートの厚さが厚いことに対し、耐熱性が良いことから、発熱の多い大型ディスプレイ装置に用いられることができる。
【０１０８】
図１５〜図１９は、外光遮断シートのパターン部の形状に対する実施の形態を示す断面図である。
【０１０９】
図１５に示すように、パターン部９００は、左右非対称形状に形成されることもできる。すなわち、パターン部９００の左右傾斜面の面積が異なるか、又は左右傾斜面の各々が下端となす角が互いに異なり得る。一般に、外光を発生させる物体はパネルの上側に位置するので、外光は、一定の角度範囲内でパネルの上側からパネルに入射される。したがって、外光吸収の効果を増加させ、パネルから放出される光の反射率を増加させるために、パターン部９００の２つの傾斜面のうち、外光が入射される上側の傾斜面の傾きを下側の傾斜面の傾きより緩やかにすることができる。すなわち、パターン部９００の２つの傾斜面のうち、上側の傾斜面の傾きを下側の傾斜面の傾きより小さくすることができる。
【０１１０】
図１６に示すように、パターン部９１０は、台形形状を有することもでき、そういう場合に、上端の幅Ｐ２が下端の幅Ｐ１より小さく形成される。また、パターン部９１０の上端の幅Ｐ２は、１０μｍ以下であり得、それによって、下端の幅Ｐ１との関係で外光の吸収及びパネル光の反射を効果的にすることができる傾斜面の傾きを形成することができる。
【０１１１】
図１７〜図１９に示すように、外光遮断シートのパターン部９２０、９３０、９４０の形状は、左右傾斜面が所定の曲率を有する曲線形状であり得る。この場合に、斜めに入射される外光の遮断効果を向上させるために、パターン部９２０、９３０、９４０の傾斜面の傾きの変化量は、下端から上端へ行くほど減少することが好ましい。
また、図１７〜図１９に示すパターン部の形状に対する実施の形態において、パターン部の隅部分が所定の曲率を有する曲線形状を有することもできる。
【０１１２】
図２０は、下端が凹んでいる形状を有するパターン部の形状に対する実施の形態を示した断面図である。
【０１１３】
図２０に示すように、パターン部の下端１０１５が、中央が丸みを帯びているように凹んでいる形状を有するようにすることによって、パネルから放出される光がパターン部の下端１０１５から反射されることによって発生する映像のぼけ現象を減少させることができ、外光遮断シートが他の機能性シート又はパネルに付着される場合に、接着部位の面積を増加させることによって接着力を向上させることができる。
【０１１４】
すなわち、中心部分での高さが最外部での高さより小さい値を有するようにパターン部１０１０を形成することによって、凹んでいる形状の下端１０１５を含むパターン部１０１０を形成することができる。
【０１１５】
パターン部１０１０は、ベース部１０００に形成された溝に光吸収物質などを満たすことにより形成されることができるが、前記ベース部１０００に形成された溝のうちの一部分がパターン部１０１０をなす光吸収物質で満たされ、残りの部分は、空いた空間として残されることができる。それにより、パターン部の下端１０１５は、中央部分が内部に引入されている、凹んでいる形状を有することができる。
【０１１６】
図２１に示すように、パターン部１０３０の下端が平らな場合に、パネルから放出されてパターン部１０３０の下端に斜めに入射される光は、パネル方向に反射されることができる。上記のようにパネル方向に反射されるパネル光により、特定位置にディスプレイされなければならない映像が前記特定位置の周辺にディスプレイされることによって、映像のぼけ現象が発生して、ディスプレイ映像の鮮明度を低下させることができる。
【０１１７】
図２２に示すように、凹んでいる形状を有するパターン部１０１０の下端に斜めに入射される光の入射角θ２は、図２１に示す平らなパターン部１０３０の下端に入射される入射角θ１より小さくなる。したがって、図２１に示す平らなパターン部１０３０の下端から反射されるパネル光が、図２２に示す、凹んでいる形状を有するパターン部１０１０の下端ではパターン部１０１０の内部に吸収され得る。それにより、ディスプレイ映像のぼけ現象を減少させて、映像の鮮明度を向上させることができる。
【０１１８】
図２３は、下端が凹んでいるパターン部を含む外光遮断シートの構造に対する実施の形態を示した断面図であって、パターン部１１１０の下端を凹んでいる形状にして観察者側に配置したものである。
【０１１９】
図２３に示すように、観察者側に配置されたパターン部１１１０の下端を凹んでいる形状にすることにより、パターン部１１１０の下端で吸収される外光の入射角の範囲を拡大させることができる。すなわち、パターン部１１１０の下端を凹んでいる形状にする場合に、外光のパターン部１１１０の下端への入射角を大きくすることができ、それによって外光吸収の効果を向上させることができる。
【０１２０】
図２４は、下端が凹んでいる形状を有するパターン部の形状に対する実施の形態を示した断面図である。以下の表１は、パターン部１２１０の下端を凹んでいる形状に形成することによって生じる溝の深さａとパターン部１２１０の下端の幅ｄに応じるディスプレイ映像のぼけ現象の減少有無を実験した結果であって、下端が平らなパターン部を有する外光遮断シートが配置されたプラズマディスプレイパネルに比べて、映像のぼけ現象が減少しているか否かを実験した結果である。
【０１２１】
【表１】
2009031747.tif 000011
【０１２２】
表１に示したように、パターン部１２１０の下端に形成された溝の深さａが１．５μｍ〜７．０μｍであるとき、ディスプレイ映像のぼけ現象を減少させて映像の鮮明度を向上させることができる。
【０１２３】
また、外部衝撃などによるパターン部１２１０の破損防止及びパターン部１２１０の形成工程の容易性を考慮すると、パターン部１２１０の下端に形成された溝の深さａは、２μｍ〜５μｍの範囲であることが好ましい。
【０１２４】
図７を参照して説明したように、パターン部１２１０の下端の幅ｄが１８μｍ〜３５μｍの範囲であるとき、パネル光の放出のための開口率を確保し、外光遮断効率を極大化することができるので、パターン部１２１０の下端の幅ｄは、パターン部１２１０の下端に形成された溝の深さａの３．６倍〜１７．５倍の範囲であることが好ましい。
【０１２５】
一方、パターン部１２１０の高さｃが８０μｍ〜１７０μｍの範囲であるとき、外光の吸収及びパネル光の反射を効果的にすることができる傾斜面の傾きを形成し得るので、パターン部１２１０の高さｃがパターン部１２１０の下端に形成された溝の深さａの１６倍〜８５倍の範囲であることが好ましい。
【０１２６】
また、外光遮断シートの厚さｂが１００μｍ〜１８０μｍの範囲であるとき、パネル光の円滑な透過と外光の効果的な吸収及び遮断を達成することができ、シートの堅固性を確保することができるので、外光遮断シートの厚さｂは、パターン部１２１０の下端に形成された溝の深さａの２０倍〜９０倍の範囲であることが好ましい。
【０１２７】
図２５に示すように、パターン部１２３０は、台形形状を有することもでき、そういう場合に、上端の幅ｅが下端の幅ｄより小さく形成することが好ましい。また、パターン部１２３０の上端の幅ｅが１０μｍ以下であるとき、下端の幅ｄとの関係で外光の吸収及びパネル光の反射を効果的にすることができる傾斜面の傾きを形成することができる。この場合にも、パターン部１２３０の下端に形成された溝の深さａとパターン部１２３０の下端の幅ｄとの間の関係は、図２４を参照して説明したものと同様であることができる。
【０１２８】
図２６は、外光遮断シートの厚さとパターン部の高さとの関係を説明するために、外光遮断シートの構造を示した断面図である。
【０１２９】
図２６に示すように、パターン部を含む外光遮断シートの堅固性を確保するとともに、画像を表示するためにパネルから放出される可視光の透過率を確保するために、外光遮断シートの厚さＴは、１００μｍ〜１８０μｍの範囲であることが好ましい。
【０１３０】
外光遮断シートに備えられるパターン部の高さｈが８０μｍ〜１７０μｍの範囲であるとき、前記パターン部の製造が最も容易であり、外光遮断シートの適切な開口率を確保することができ、外光遮断効果及びパネルから放出される光の反射効果を最大化することができる。
パターン部の高さｈは、外光遮断シートの厚さＴに応じて可変し得る。一般に、パネルに入射されて明室コントラストの低下に影響を与える外光は、主にパネルの位置より上側に位置するようになる。したがって、一定の範囲の入射角（θ）でパネルに入射される外光を効果的に遮断するために、パターン部の高さｈと外光遮断シートの厚さＴとの割合は、一定範囲内の値を有することが好ましい。
【０１３１】
パターン部の高さｈが増加するほど、パターン部の上端部分のベース部の厚さが薄くなって絶縁破壊が発生することができ、パターン部の高さｈが減少するほど、一定範囲内の角度を有する外光がパネルに入射されて、外光が正しく遮断されない場合もあり得る。
【０１３２】
以下の表２は、外光遮断シートの厚さＴとパターン部の高さｈに応じて、外光遮断シートの絶縁破壊及び外光遮断効果を実験した結果である。
【０１３３】
【表２】
2009031747.tif 000012
【０１３４】
表２に示すように、外光遮断シートの厚さＴが１２０μｍの場合に、パターン部の高さｈが１１５μｍ以上に形成されると、パターン部が絶縁破壊されるリスクがあるから、製品の不良率が増加し得る。パターン部の高さｈが１１５μｍ以下に形成されると、パターン部が絶縁破壊されるおそれがないことから、外光遮断シートの不良率を減少させることができる。  しかしながら、パターン部の高さが８５μｍ以下に形成されるときには、パターン部により外光が遮断される効率が減少され得、６０μｍ以下に形成される場合には、外光がパネルに入射され得る。それにより、パターン部の高さｈが９０μｍ〜１１０μｍの範囲であるとき、外光遮断シートの外光遮断効率を増加させるとともに、不良率を減少させることができる。
【０１３５】
また、外光遮断シートの厚さＴがパターン部の高さｈの１．０１倍〜２．２５倍の範囲であるとき、パターン部の上端部分の絶縁破壊を防止することができ、外光がパネルに入射されることを防止することができる。また、絶縁破壊及び外光のパネル入射を防止するとともに、パネルから放出される光の反射量を増加させ、視野角を確保するためには、外光遮断シートの厚さＴがパターン部の高さｈの１．０１倍〜１．５倍の範囲であり得る。
【０１３６】
以下の表３は、外光遮断シートのパターン部の下端の幅とパネルの上部基板に形成されるバス電極の幅との割合に応じて、モアレ現象の発生有無及び外光遮断効果を実験した結果であって、バス電極の幅が７０μｍである場合である。
【０１３７】
【表３】
2009031747.tif 000013
【０１３８】
表３に示すように、パターン部の下端の幅がバス電極の幅の０．２倍〜０．５倍の範囲であるとき、モアレ現象を減少させるとともに、パネルに入射される外光を減少させることができる。また、モアレ現象を防止し外光を効果的に遮断するとともに、パネル光の放出のための開口率を確保するためには、パターン部の下端の幅がバス電極の幅の０．２５倍〜０．４倍の範囲であることが好ましい。
【０１３９】
以下の表４は、外光遮断シートのパターン部の下端の幅とパネルの下部基板に形成される縦隔壁の幅との割合に応じて、モアレ現象の発生有無及び外光遮断効果を実験した結果であって、縦隔壁の幅が５０μｍである場合である。
【０１４０】
【表４】
2009031747.tif 000014
【０１４１】
表４に示すように、パターン部の下端の幅が縦隔壁の上端の幅の０．３倍〜０．８倍の範囲であるとき、モアレ現象を減少させるとともに、パネルに入射される外光を減少させることができる。また、モアレ現象を防止し外光を効果的に遮断するとともに、パネル光の放出のための開口率を確保するためには、パターン部の下端の幅が縦隔壁の上端の幅の０．４倍〜０．６５倍の範囲であることが好ましい。
【０１４２】
上述のような本発明に係る外光遮断シートを含むフィルタは、接着層を用いてパネルに付着されるフィルムフィルタタイプに形成することができ、それとは異なり、ガラスを含んでパネルから離隔して配置されるガラスフィルタタイプにも形成することができる。
【０１４３】
上述した本発明の好ましい実施の形態は、例示の目的のために開示されたものであり、本発明の属する技術の分野における通常の知識を有する者であれば、本発明の技術的思想を逸脱しない範囲内で、様々な置換、変形、及び変更が可能であり、このような置換、変更などは、特許請求の範囲に属するものである。
【図面の簡単な説明】
【０１４４】
【図１】プラズマディスプレイパネルの構造に対する一実施の形態を示す斜視図である。
【図２】本発明に係る外光遮断シートの概略的な断面構造に対する一実施の形態を示す断面図である。
【図３】外光遮断シートの構造による光特性を示す断面図である。
【図４】外光遮断シートの構造による光特性を示す断面図である。
【図５】外光遮断シートの構造による光特性を示す断面図である。
【図６】外光遮断シートの構造による光特性を示す断面図である。
【図７】外光遮断シートのパターン部の形状に対する第１の実施の形態を示す断面図である。
【図８】プラズマディスプレイパネルの上部基板に形成されたバス電極の構造に対する一実施の形態を示す断面図である。
【図９】プラズマディスプレイパネルの下部基板に形成された隔壁の構造に対する実施の形態を示す断面図である。
【図１０】本発明に係る外光遮断シートのパターン部とパネルの放電セルとが重なる構造に対する一実施の形態を示す図である。
【図１１】本発明に係る外光遮断シートを含むフィルタの構造に対する実施の形態を示す断面図である。
【図１２】本発明に係る外光遮断シートを含むフィルタの構造に対する実施の形態を示す断面図である。
【図１３】本発明に係る外光遮断シートを含むフィルタの構造に対する実施の形態を示す断面図である。
【図１４】本発明に係る外光遮断シートを含むフィルタの構造に対する実施の形態を示す断面図である。
【図１５】外光遮断シートのパターン部の形状に対する第２の実施の形態を示す断面図である。
【図１６】外光遮断シートのパターン部の形状に対する第３の実施の形態を示す断面図である。
【図１７】外光遮断シートのパターン部の形状に対する第４の実施の形態を示す断面図である。
【図１８】外光遮断シートのパターン部の形状に対する第５の実施の形態を示す断面図である。
【図１９】外光遮断シートのパターン部の形状に対する第６の実施の形態を示す断面図である。
【図２０】下端が凹んでいる形状を有するパターン部の断面形状に対する実施の形態及びその光特性に対して説明するための断面図である。
【図２１】下端が凹んでいる形状を有するパターン部の断面形状に対する実施の形態及びその光特性に対して説明するための断面図である。
【図２２】下端が凹んでいる形状を有するパターン部の断面形状に対する実施の形態及びその光特性に対して説明するための断面図である。
【図２３】下端が凹んでいる形状を有するパターン部の断面形状に対する実施の形態及びその光特性に対して説明するための断面図である。
【図２４】下端が凹んでいる形状を有するパターン部の断面形状に対する実施の形態及びその光特性に対して説明するための断面図である。
【図２５】下端が凹んでいる形状を有するパターン部の断面形状に対する実施の形態及びその光特性に対して説明するための断面図である。
【図２６】外光遮断シートに形成された隣接したパターン部間の間隔とパターン部の高さとの関係を説明するための断面図である。
【図１】
2009031747.tif 000015
【図２】
2009031747.tif 000016
【図３】
2009031747.tif 000017
【図４】
2009031747.tif 000018
【図５】
2009031747.tif 000019
【図６】
2009031747.tif 000020
【図７】
2009031747.tif 000021
【図８】
2009031747.tif 000022
【図９】
2009031747.tif 000023
【図１０】
2009031747.tif 000024
【図１１】
2009031747.tif 000025
【図１２】
2009031747.tif 000026
【図１３】
2009031747.tif 000027
【図１４】
2009031747.tif 000028
【図１５】
2009031747.tif 000029
【図１６】
2009031747.tif 000030
【図１７】
2009031747.tif 000031
【図１８】
2009031747.tif 000032
【図１９】
2009031747.tif 000033
【図２０】
2009031747.tif 000034
【図２１】
2009031747.tif 000035
【図２２】
2009031747.tif 000036
【図２３】
2009031747.tif 000037
【図２４】
2009031747.tif 000038
【図２５】
2009031747.tif 000039
【図２６】
2009031747.tif 000040